(57)【特許請求の範囲】
【請求項１】
自局の送信器識別符号を備える送信器と、自局の中継器識別符号を備える中継器と、負荷を接続するとともに該負荷を制御する受信器とを備え、
前記受信器は、前記中継器識別符号が登録されており、該中継器識別符号と前記中継器から送信されてきたデータフレーム中の中継器識別符号とを照合し、一致する場合のみ該データフレームを登録済み中継器のデータフレームと判断して受け付け、
前記中継器は、前記受信器と前記受信器に接続された負荷とを組にして指定する指定手段と、この指定手段によって指定された組と送信されてきた送信器識別符号とを対応させて記憶する記憶手段とを備え、前記送信器から送信されてきたデータフレーム中の送信器識別符号を自局の中継器識別符号に置き換えて、受信したデータフレーム中の送信器識別符号に対応する受信器と負荷とを該データフレームに挿入して該データフレームを前記受信器に中継送信することを特徴とする電波式リモコンシステム。
【請求項２】
前記中継器は、消去モード切替手段を備え、前記指定手段によって予め記憶手段に記憶されている受信器と負荷との組を指定し、この指定した組に対応した送信器識別符号を受信すると、該送信器識別符号を前記記憶手段から消去することを特徴とする請求項１記載の電波式リモコンシステム。
【請求項３】
前記中継器は、全負荷制御モード切替手段と、送信されてきた送信器識別符号を全点灯スイッチまたは全消灯スイッチに割り当てて前記記憶手段に記憶する全制御割当手段とを備え、この全制御割当手段によって割り当てられた送信器識別符号を受信すると、全負荷を制御する制御信号を前記データフレームに挿入して中継送信することを特徴とする請求項１または請求項２に記載の電波式リモコンシステム。
【請求項４】
前記送信器の送信周波数と前記中継器の送信周波数が異なることを特徴とする請求項１から請求項３のうちいずれかに記載の電波式リモコンシステム。
【発明の詳細な説明】
【０００１】
【発明の属する技術分野】
本発明は、照明制御に用いる電波式リモコンシステムに関し、特に中継器の改良に関する。
【０００２】
【従来の技術】
照明制御のリモコンは、一般的に赤外式ではあるが、近年壁越し制御や受信部の天井裏及び壁面内部への埋設が要求されている。この要請に応えるために、電波を用いる電波式リモコンが提案されている。電波は、赤外線と異なり壁越し、天井越しで広範囲に電波が到達してしまうので、個々の送信器に固有の識別符号を製造時に記憶させておき、送信器はデータフレーム中に自局の識別符号を挿入して送信するようになっている。 受信器は、設置時に送信器の識別符号を登録して、以降は受信データフレーム中の送信器の識別符号が登録済みの識別符号かどうかを判断して、一致する場合のみを受け付けて動作するようになっている。
【０００３】
【発明が解決しようとする課題】
ところが、この技術では、受信器に送信器の識別符号を記憶させるために、受信器に登録釦を設けてこれを操作した後に送信器にデータフレームを送信させるという手順が必要となるために、照明制御用として受信器を天井裏や壁面内部に埋め込んで設置すると、設置後の登録操作が困難になるという問題がある。
【０００４】
本発明は、上記事由に鑑みて為されたものであり、その目的は、受信器を天井裏又は壁面に埋設した後にも、簡単に送信器をシステムに登録することができる電波式リモコンシステムを提供することである。
【０００５】
【課題を解決するための手段】
上記課題を解決するために、請求項１記載の電波式リモコンシステムは、自局の送信器識別符号を備える送信器と、自局の中継器識別符号を備える中継器と、負荷を接続するとともに該負荷を制御する受信器とを備え、前記受信器は、前記中継器識別符号が登録されており、該中継器識別符号と前記中継器から送信されてきたデータフレーム中の中継器識別符号とを照合し、一致する場合のみ該データフレームを登録済み中継器のデータフレームと判断して受け付け、前記中継器は、前記受信器と前記受信器に接続された負荷とを組にして指定する指定手段と、この指定手段によって指定された組と送信されてきた送信器識別符号とを対応させて記憶する記憶手段とを備え、前記送信器から送信されてきたデータフレーム中の送信器識別符号を自局の中継器識別符号に置き換えて、受信したデータフレーム中の送信器識別符号に対応する受信器と負荷とを該データフレームに挿入して該データフレームを前記受信器に中継送信することを特徴とするものである。
【０００６】
請求項２記載の電波式リモコンシステムは、請求項１記載の電波式リモコンシステムにおいて、前記中継器は、消去モード切替手段を備え、前記指定手段によって予め記憶手段に記憶されている受信器と負荷との組を指定し、この指定した組に対応した送信器識別符号を受信すると、該送信器識別符号を前記記憶手段から消去することを特徴とするものである。
【０００７】
請求項３記載の電波式リモコンシステムは、請求項１または請求項２に記載の電波式リモコンシステムにおいて、前記中継器は、全負荷制御モード切替手段と、送信されてきた送信器識別符号を全点灯スイッチまたは全消灯スイッチに割り当てて前記記憶手段に記憶する全制御割当手段とを備え、この全制御割当手段によって割り当てられた送信器識別符号を受信すると、全負荷を制御する制御信号を前記データフレームに挿入して中継送信することを特徴とするものである。
【０００８】
請求項４記載の電波式リモコンシステムは、請求項１から請求項３のうちいずれかに記載の電波式リモコンシステムにおいて、前記送信器の送信周波数と前記中継器の送信周波数が異なることを特徴とするものである。
【００１０】
【発明の実施の形態】
以下、本発明の実施形態について図を参照して説明する。図１は、本発明の実施形態に係る電波式リモコンシステムの概略システム構成図である。図２は、本電波式リモコンシステムに用いる送信器の概略ブロック図である。図３は、本電波式リモコンシステムに用いる受信器の概略ブロック図である。図４は、本電波式リモコンシステムに用いる中継器の概略ブロック図である。図５は、本電波式リモコンシステムに用いる送信器のデータフレームの概略図である。図６は、本電波式リモコンシステムに用いる中継器のデータフレームの概略図である。図７は、本電波式リモコンシステムに用いる中継器の登録テーブルの概略図である。
【００１１】
この電波式リモコンシステムは、図１に示すように、送信器１ａ〜１ｃ、受信器２に加えて、中継器３を有する。受信器２は天井裏又は壁面内部に設置され、負荷となる照明器具４ａ〜４ｄが接続される。送信器１ａ〜１ｃは照明器具４ａ〜４ｄの点灯制御操作に都合の良い場所に設置され、中継器３は操作可能な場所の壁面に設置される。送信器１ａ〜１ｃは電池で動作し、受信器２と中継器３には商用電源が供給されるものとする。ここでは、送信器が３台、受信器が１台設置され、照明器具が４台接続されているが、更に多くの送信器と受信器を設置することも可能である。なお、中継器３はシステムに１台のみ設置すればよい。
【００１２】
送信器１ａ〜１ｃは、図２に示すようにロック付押釦スイッチ１１と、マイコン１２と、ＥＥＰＲＯＭ１３と、電池１４と、発振・変調回路１５と、電源制御回路１６と、アンテナ１７とを備えている。発振・変調回路１５は、特に４２６．０２５〜４２６．１３７５ＭＨｚの周波数帯に定められる１０の周波数のうち１つを発振して、データフレームのビット列により変調して送信するものである。送信器１ａ〜１ｃには個々に１０進数１２桁の送信器識別符合が定められており、送信器の製造段階でＥＥＰＲＯＭ１３に記憶される。ここで、送信器１ａ〜１ｃのデータフレームの一例を図５に示す。プリアンブルは１０交番のビット列であり、ユニークワードは予め定められた特定のビット列である。コマンドには、ロック付押釦スイッチ１１が短絡すると点灯コマンド、開放すると消灯コマンドが挿入される。これら以外に、送信器の電池切れ等を示す制御コードや誤り検出符号を付け加えることも可能である。
【００１３】
送信器１ａ〜１ｃのロック付押釦スイッチ１１が操作されると、マイコン１２はこれを検出して、電源制御回路１６を制御して発振・変調回路１５に給電を開始する。次に、ＥＥＰＲＯＭ１３からこの送信器自体の送信器識別符号を読み出して、図５のデータフレームを組立て、発振・変調回路１５に供給する。発振・変調回路１５は規定の周波数を発振してデータフレームのビット列によって変調し、アンテナ１７から無線送信する。
【００１４】
受信器２は、図３に示すように、アンテナ２０と、受信・復調回路２１と、ＡＣ／ＤＣ電源回路２２と、マイコン２３と、ＥＥＰＲＯＭ２４と、ロータリースイッチ２５と、登録釦２６と、消去釦２７と、リレー２８ａ〜２８ｄと、端子台２９とを備えている。受信・復調回路２１は、送信器１ａ〜１ｃの発振・変調回路１５に従うものである。端子台２９には、負荷となる照明器具４ａ〜４ｄがそれぞれ接続される。アンテナ２０で受信した無線信号は、受信・復調回路２１で規定の周波数だけが抽出、復調されて、図６に示す中継器３のデータフレームがマイコン２３に供給される。マイコン２３は、予めＥＥＰＲＯＭ２４に登録した中継器３の中継器識別符号と、受信データフレーム中の中継器識別符号を照合し、一致する場合のみ登録済み中継器のデータフレームと判断して受け付ける。次に、予めロータリースイッチ２５で設定された自局の受信器番号と、中継器３が挿入したデータフレーム中の受信器番号を照合して、一致する場合のみ自局が指定されたと判断して受け付け、リレー２８ａ〜２８ｄのうち、同じく中継器３が挿入したデータフレーム中の負荷番号に対応するリレーをコマンドに従って、ＯＮ／ＯＦＦ制御する。リレー２８ａ〜２８ｄは、商用電源ＡＣ１００ＶをＯＮ／ＯＦＦするので、端子台２９に接続された照明器具４ａ〜４ｄが点灯／消灯することになる。
【００１５】
中継器３は、図４に示すように、受信アンテナ３１と、受信・復調回路３２と、マイコン３３と、ＡＣ／ＤＣ電源回路３４と、ＥＥＰＲＯＭ３５と、登録釦３６と、消去釦３７と、登録送信釦３８と、全点灯釦３９、全消灯釦４０と、発振・変調回路４１と、送信アンテナ４２と、表示回路４３とを備えている。発振・変調回路４１は、送信器の発振・変調回路１５と同等のものであり、受信・復調回路３２は受信器の受信・復調回路２１と同等のものである。表示回路４３は８個のＬＥＤで構成され、銘板の概観は図１に示されている。
【００１６】
受信アンテナ３１で受信した送信器からの無線信号は、受信・復調回路３２で規定の周波数だけが抽出、復調されて、図５に示す送信器のデータフレームがマイコン３３に供給される。マイコン３３は、予めＥＥＰＲＯＭ３５に登録した送信器識別符号と、受信データフレーム中の送信器識別符号を照合し、一致する場合のみ登録済み送信器のデータフレームと判断して受け付ける。次に、マイコン３３は受信データフレーム中の送信器識別符号を自局の中継器識別符号に置き換え、ＥＥＰＲＯＭ３５に記憶された登録テーブル（図７）に基づいて、該送信器の送信器識別符号に対応する受信器番号と負荷番号を図６に示されるデータフレームに挿入して、発振・変調回路４１から送信アンテナ４２を経由して受信器２に無線送信する。なお、図７に示すように、例えば１つの識別符号（４５６４５６４５６４５６）が複数の受信器番号、負荷番号の組に登録されている場合は、必要な回数（図７の場合では、２回）のデータフレームを送信する。
【００１７】
上述したように、この電波式リモコンシステムは、送信器１ａ〜１ｃのロック付押釦スイッチ１１が操作されると、送信器１ａ〜１ｃからデータフレームが送信され、中継器３において該データフレームに含まれている送信器識別符号が該中継器自体の中継器識別符号に置き換えられるとともに、受信器番号と負荷番号が挿入されて中継送信される。そして、受信器２が中継器３からの無線信号を受信し、リレー２８ａ〜２８ｄをＯＮ／ＯＦＦ制御することによって、照明器具４ａ〜４ｄが点灯／消灯される。
【００１８】
次に、各機器の設置及び登録の手順について説明する。受信器２のマイコン２３は、登録釦２６が操作されると登録モードになり、受信データフレーム中の識別符号を取り出してＥＥＰＲＯＭ２４に記憶するようにプログラムされている。また、消去釦２７が操作されると消去モードになり、受信データフレーム中の識別符号を取り出してＥＥＰＲＯＭ２４に記憶した識別符号と照合して一致するものを消去するようにプログラムされている。中継器３は登録送信釦３８が操作されると、送信器のデータフレームを受信していなくても図６のデータフレームを送信するようにプログラムされている。
【００１９】
受信器２は、天井裏又は壁面内部に設置されると操作が困難になるので、設置前に受信器２と中継器３に商用電源を供給し、受信器２の登録釦２６を操作して受信器２を登録モードにしたのちに中継器３の登録送信釦３８を操作して中継器３の自局の中継器識別符号を受信器２に登録する。このとき誤って中継器３の中継器識別符号を登録した場合や、中継器３を交換する場合には受信器２の消去釦２７を操作して受信器２を消去モードにして登録した中継器識別符号を消去する。さらに、受信器２の受信器番号を、ロータリースイッチ２５を操作して設定してから、受信器２と中継器３を所定の位置に設置する。
【００２０】
中継器３のマイコン３３は、図１に示すように、登録釦３６が操作されると登録モードになり、登録釦３６が操作される毎に受信器番号ＬＥＤと負荷番号ＬＥＤの組合せを１−１，１−２，１−３，１−４，２−１，２−２…と順次遷移して点滅させて指定するようにプログラムされている。また、中継器３は送信器からのデータフレームを受信すると、このデータフレームを送信した送信器の送信器識別符号と、ＬＥＤの点滅が示す受信器番号と負荷番号を図７の登録テーブルの形式でＥＥＰＲＯＭ３５に登録する。なお、誤って送信器を登録したときは、消去釦３７を操作して消去モードにして同様の操作を行って登録を消去する。
【００２１】
このようにして、この電波式リモコンシステムは、中継器３の中継器識別符号が受信器２に登録され、各送信器１ａ〜１ｃの送信器識別符号が受信器番号と負荷番号とともに中継器３に登録されるので、受信器２を天井裏又は壁面に埋設した後にも中継器３の登録釦３６を操作して送信器をシステムに登録することができるとともに、送信器１ａ〜１ｃから受信器２に接続された照明器具４ａ〜４ｄを制御することができるのである。
【００２２】
また、この電波式リモコンシステムは、送信器１ａ〜１ｃと中継器３の間で使用する周波数と、中継器３と受信器２の間で使用する周波数を異なるようにしている。構成手段としては、発振・変調回路１５、４１及び受信・復調回路２１、３２に使用する水晶振動子周波数を変える手段と、ＰＬＬシンセサイザに設定するプログラマブルカウンタの値を変える手段がある。従って、送信器１ａ〜１ｃから中継器３への無線送信と、中継器３から受信器２への無線送信とが同時に行われたとしても、無線信号が混信することがなくなるので、中継器３が中継送信中に送信器１ａ〜１ｃからの無線信号を受信することができるようになる。
【００２３】
さらに、中継器３のマイコン３３は、登録釦３６を操作してから全点灯釦３９を操作すると全点灯登録モードになり、受信データフレーム中の送信器の送信器識別符号を全点灯スイッチとして割り当ててＥＥＰＲＯＭ３５に記憶するようにプログラムされている。そして、全点灯スイッチに割り当てられた送信器識別符号を受信した場合には、全点灯コマンドを受信器２に送信するようになっている。全消灯釦３９を操作して全消灯登録モードとした場合も同様に、全消灯スイッチとしてＥＥＰＲＯＭ３５に登録される。受信器２は、受信データフレームのコマンドが全点灯又は全消灯の場合には中継器３の中継器識別符号の一致のみを判断し、受信器番号や負荷番号にかかわりなく、全リレー２８ａ〜２８ｄをＯＮ又はＯＦＦする。
【００２４】
従って、この電波式リモコンシステムは、全点灯として登録された送信器のロック付押釦スイッチ１１を操作すると受信器２に接続された全ての照明器具４ａ〜４ｄが点灯し、全消灯として登録された送信器のロック付押釦スイッチ１１を操作すると受信器２に接続された全ての照明器具４ａ〜４ｄが消灯するようになっている。なお、受信器２を複数備えたシステムにおいて、これら受信器のすべてに中継器３の中継器識別符号を登録しておくと、全受信器に接続された全ての照明器具の制御が可能となる。
【００２５】
【発明の効果】
以上、説明したように、請求項１記載の電波式リモコンシステムは、自局の送信器識別符号を備える送信器と、自局の中継器識別符号を備える中継器と、負荷を接続するとともに該負荷を制御する受信器とを備え、前記受信器は、前記中継器識別符号が登録されており、該中継器識別符号と前記中継器から送信されてきたデータフレーム中の中継器識別符号とを照合し、一致する場合のみ該データフレームを登録済み中継器のデータフレームと判断して受け付け、前記中継器は、前記受信器と前記受信器に接続された負荷とを組にして指定する指定手段と、この指定手段によって指定された組と送信されてきた送信器識別符号とを対応させて記憶する記憶手段とを備え、前記送信器から送信されてきたデータフレーム中の送信器識別符号を自局の中継器識別符号に置き換えて、受信したデータフレーム中の送信器識別符号に対応する受信器と負荷とを該データフレームに挿入して該データフレームを前記受信器に中継送信するので、中継器識別符号だけを受信器に登録して設置すれば、受信器を天井裏又は壁面に埋設した後にも、中継器の操作だけで送信器をシステムに登録することができる。ここで、前記中継器は、前記受信器と前記受信器に接続された負荷とを組にして指定する指定手段と、この指定手段によって指定された組と送信されてきた送信器識別符号とを対応させて記憶する記憶手段とを備え、受信したデータフレーム中の送信器識別符号に対応する受信器と負荷とを該データフレームに挿入して中継送信するので、送信器の操作によって前記記憶手段に基づいて受信器に接続された負荷を制御することができる。
【００２６】
請求項２記載の電波式リモコンシステムは、請求項１記載の電波式リモコンシステムにおいて、前記中継器は、消去モード切替手段を備え、前記指定手段によって予め記憶手段に記憶されている受信器と負荷との組を指定し、この指定した組に対応した送信器識別符号を受信すると、該送信器識別符号を前記記憶手段から消去するので、誤って送信器を登録した場合や送信器の登録を変更する場合には、消去モードにして送信器の登録を消去することができる。
【００２７】
請求項３記載の電波式リモコンシステムは、請求項１または請求項２に記載の電波式リモコンシステムにおいて、前記中継器は、全負荷制御モード切替手段と、送信されてきた送信器識別符号を全点灯スイッチまたは全消灯スイッチに割り当てて前記記憶手段に記憶する全制御割当手段とを備え、この全制御割当手段によって割り当てられた送信器識別符号を受信すると、全負荷を制御する制御信号を前記データフレームに挿入して中継送信するので、送信器の操作によって、受信器に接続された全負荷の点灯、消灯を行うことができる。
【００２８】
請求項４記載の電波式リモコンシステムは、請求項１から請求項３のうちいずれかに記載の電波式リモコンシステムにおいて、前記送信器の送信周波数と前記中継器の送信周波数が異なるので、中継器が中継送信中であっても、送信器の無線信号を受信することができる。
【図面の簡単な説明】
【図１】本発明の実施形態に係る電波式リモコンシステムの概略システム構成図である。
【図２】同上の電波式リモコンシステムに用いる送信器の概略ブロック図である。
【図３】同上の電波式リモコンシステムに用いる受信器の概略ブロック図である。
【図４】同上の電波式リモコンシステムに用いる中継器の概略ブロック図である。
【図５】同上の電波式リモコンシステムに用いる送信器のデータフレームの概略図である。
【図６】同上の電波式リモコンシステムに用いる中継器のデータフレームの概略図である。
【図７】同上の電波式リモコンシステムに用いる中継器の登録テーブルの概略図である。
【符号の説明】
１ａ〜１ｃ  送信器
２  受信器
３  中継器
４ａ〜４ｄ  照明器具
３５  ＥＥＰＲＯＭ
３６  登録釦
３７  消去釦
３９  全点灯釦
４０  全消灯釦
【図１】
0005055677.tif 000002
【図２】
0005055677.tif 000003
【図３】
0005055677.tif 000004
【図４】
0005055677.tif 000005
【図５】
0005055677.tif 000006
【図６】
0005055677.tif 000007
【図７】
0005055677.tif 000008